(57)【要約】【課題】色覚障害者に対する利便性を向上できる調理器を提供する。【解決手段】調理物を収納する加熱室３と、調理物を加熱する加熱部６と、加熱室３に照明光を出射する照明部１５と、設定操作を行う操作部１１と、操作部１１による設定データを記憶する記憶部１６とを備え、加熱部６及び照明部１５を駆動して調理を行う調理器１において、照明光の色を記憶部１６に記憶される第１照明色及び第２照明色に選択可能に形成され、第１照明色を暖色にするとともに、第２照明色を１型色覚及び２型色覚に対して明色となる色にした。【選択図】図３
2014006033.tif 000002
【特許請求の範囲】
【請求項１】
調理物を収納する加熱室と、調理物を加熱する加熱部と、前記加熱室に照明光を出射する照明部と、設定操作を行う操作部と、前記操作部による設定データを記憶する記憶部とを備え、前記加熱部及び前記照明部を駆動して調理を行う調理器において、前記照明光の色を前記記憶部に記憶される第１照明色及び第２照明色に選択可能に形成され、第１照明色を暖色にするとともに、第２照明色を１型色覚及び２型色覚に対して明色となる色にしたことを特徴とする調理器。
【請求項２】
第１照明色を赤色または橙色にし、第２照明色を青色または黄色にしたことを特徴とする請求項１に記載の調理器。
【請求項３】
第２照明色を変更可能にしたことを特徴とする請求項１または請求項２に記載の調理器。
【請求項４】
調理物を収納する加熱室と、調理物を加熱する加熱部と、使用者に対する報知を表示により行う報知部と、設定操作を行う操作部と、前記操作部による設定データを記憶する記憶部とを備え、前記加熱部を駆動して調理を行う調理器において、警告報知時の前記報知部の表示の色が前記記憶部に記憶される第１表示色と第２表示色とに選択可能に形成され、第１表示色を注意色にするとともに、第２表示色を１型色覚及び２型色覚に対して明色となる色にしたことを特徴とする調理器。
【請求項５】
第１表示色を赤色にし、第２表示色を黄色にしたことを特徴とする請求項４に記載の調理器。
【請求項６】
前記報知部が表示パネルから成り、第１表示色及び第２表示色が前記表示パネル上に表示される警告メッセージの文字色または背景色から成ることを特徴とする請求項４または請求項５に記載の調理器。
【請求項７】
前記報知部がＬＥＤから成り、第１表示色及び第２表示色が前記ＬＥＤの発光色から成ることを特徴とする請求項４または請求項５に記載の調理器。
【請求項８】
第２表示色を変更可能にしたことを特徴とする請求項４〜請求項７のいずれかに記載の調理器。
【発明の詳細な説明】
【技術分野】
【０００１】
本発明は加熱室内を照明する調理器に関する。また本発明は使用者に対する報知を表示により行う調理器に関する。
【背景技術】
【０００２】
従来の調理器は特許文献１に開示される。この調理器は前面を開口して調理物を収納する加熱室を有した本体部と、本体部に枢支して加熱室の前面を開閉する扉とを備えている。本体部内には調理物を加熱するマグネトロン及びヒータが設けられる。加熱室の側方には加熱室内を照明する照明部が配される。また、扉には加熱室内を視認する窓部が設けられ、窓部の下方には調理操作を行う操作パネルが配される。
【０００３】
加熱室内に調理物を収納して扉が閉じられ、操作パネルによって所望の調理が開始される。調理が開始されるとマグネトロンまたはヒータが駆動され、照明部が点灯される。これにより、照明を行いながら調理物の調理が行われる。この時、照明部による照明光の照明色は使用者の操作に応じて可変される。これにより、使用者が調理器の設置場所や調理内容に応じて見やすい照明色で照射された調理物を視認し、調理の進行状況を容易に把握することができる。
【０００４】
また、特許文献２には表示パネル上にエラーメッセージを表示する調理器が開示される。この調理器は加熱室を有した本体部の前面に操作パネルが配され、操作パネル上には表示パネル及び操作キーが設けられる。操作キーの操作によって調理が開始された際に加熱室内に調理物がないと判断されると、表示パネル上に警告メッセージを表示して使用者に報知される。これにより、使用者に調理物の設置が促され、無負荷による加熱を防止することができる。
【先行技術文献】
【特許文献】
【０００５】
【特許文献１】特開２００６−１７３９０号公報（第５頁〜第１１頁、第１図）
【特許文献２】特開２００５−２４１１２８号公報（第７頁〜第１４頁、第２図）
【発明の概要】
【発明が解決しようとする課題】
【０００６】
加熱室を照明する照明光の照明色は多くの場合赤色に設定される。これにより、調理物の加熱状態であることを使用者が直感的に認識できるとともに、使用者に対して調理物を美味しそうに見せることができる。この時、１型色覚（赤色盲、赤色弱）や２型色覚（緑色盲、緑色弱）の色覚障害者にとって赤色の照明光は茶色系の暗色の光と認識される。このため、調理物の視認が困難となり、調理の進行状況や調理が実行されているか否かを容易に判別することができない。尚、３型色覚（青色盲、青色弱）の色覚障害者にとっては赤色の照明光は赤色と認識されるため、調理物を視認することが可能である。
【０００７】
上記特許文献１の調理器によると、照明光の照明色を可変して色覚障害者にとって調理物を見やすい照明色に設定することができる。しかしながら、煩雑な照明色の調整を必要とするとともに、正常色覚の使用者が見えやすい照明色に変更すると煩雑な調整が再度必要となる。従って、調理器の利便性が悪い問題があった。
【０００８】
また、特許文献２の調理器のように表示パネル上の警告メッセージによる警告表示を行う際に、背景色または文字色から成る表示色を赤色等の注意色にすると使用者の注意を引くため警告を確実に伝えることができる。この時、１型色覚や２型色覚の色覚障害者にとって赤色の表示色は茶色系の暗色と認識される。このため、警告が注目されにくくなるため使用者が警告を見逃す場合がある。従って、調理器の利便性が悪い問題があった。
【０００９】
本発明は、色覚障害者に対する利便性を向上できる調理器を提供することを目的とする。
【課題を解決するための手段】
【００１０】
上記目的を達成するために本発明は、調理物を収納する加熱室と、調理物を加熱する加熱部と、前記加熱室に照明光を出射する照明部と、設定操作を行う操作部と、前記操作部による設定データを記憶する記憶部とを備え、前記加熱部及び前記照明部を駆動して調理を行う調理器において、前記照明光の色を前記記憶部に記憶される第１照明色及び第２照明色に選択可能に形成され、第１照明色を暖色にするとともに、第２照明色を１型色覚及び２型色覚に対して明色となる色にしたことを特徴としている。
【００１１】
この構成によると、加熱室内に調理物を収納して調理が開始されると加熱部及び照明部が駆動される。照明部から照射される照明光によって調理の進行状況や調理が実行されているか否かが使用者に視認される。この時、照明光の色を記憶部に記憶された第１照明色または第２照明色から選択することができる。第１照明色が選択されると加熱室内が暖色の照明光により照明される。これにより、正常色覚または３型色覚の使用者が調理物の加熱状態であることを直感的に認識できるとともに、使用者に対して調理物を美味しそうに見せることができる。第２照明色が選択されると加熱室内が１型色覚及び２型色覚に対して明色となる色の照明光により照明される。これにより、１型色覚及び２型色覚の使用者が加熱室内を容易に視認することができる。
【００１２】
また本発明は、上記構成の調理器において、第１照明色を赤色または橙色にし、第２照明色を青色または黄色にしたことを特徴としている。
【００１３】
また本発明は、上記構成の調理器において、第２照明色を変更可能にしたことを特徴としている。
【００１４】
また本発明は、調理物を収納する加熱室と、調理物を加熱する加熱部と、使用者に対する報知を表示により行う報知部と、設定操作を行う操作部と、前記操作部による設定データを記憶する記憶部とを備え、前記加熱部を駆動して調理を行う調理器において、警告報知時の前記報知部の表示の色が前記記憶部に記憶される第１表示色と第２表示色とに選択可能に形成され、第１表示色を注意色にするとともに、第２表示色を１型色覚及び２型色覚に対して明色となる色にしたことを特徴としている。
【００１５】
この構成によると、加熱室内に調理物を収納して調理が開始されると加熱部が駆動される。調理前や調理中の異常時等に報知部の表示によって警告が報知される。この時、報知部の表示の色を記憶部に記憶された第１表示色または第２表示色に選択することができる。第１表示色が選択されると警告が注意色で報知され、正常色覚の使用者が警告を容易に認識することができる。第２表示色が選択されると警告が１型色覚及び２型色覚に対して明色となる色で報知される。これにより、１型色覚及び２型色覚の使用者が警告を容易に認識することができる。
【００１６】
また本発明は、上記構成の調理器において、第１表示色を赤色にし、第２表示色を黄色にしたことを特徴としている。この構成によると、第１表示色が選択されると、３型色覚の使用者が警告を容易に認識することができる。
【００１７】
また本発明は、上記構成の調理器において、前記報知部が表示パネルから成り、第１表示色及び第２表示色が前記表示パネル上に表示される警告メッセージの文字色または背景色から成ることを特徴としている。
【００１８】
また本発明は、上記構成の調理器において、前記報知部がＬＥＤから成り、第１表示色及び第２表示色が前記ＬＥＤの発光色から成ることを特徴としている。
【００１９】
また本発明は、上記構成の調理器において、第２表示色を変更可能にしたことを特徴としている。
【発明の効果】
【００２０】
本発明によると、照明部による照明光の色を記憶部に記憶された暖色の第１照明色と、１型色覚及び２型色覚に対して明色となる第２照明色とに選択可能にしているので、照明光の色を容易に切り替えることができる。これにより、第１照明色の選択により正常色覚または３型色覚の使用者が調理物の加熱状態であることを直感的に認識できるとともに、使用者に対して調理物を美味しそうに見せることができる。また、第２照明色の選択により１型色覚及び２型色覚の使用者が加熱室内を容易に視認することができる。従って、色覚障害者に対する利便性を向上することができる。
【００２１】
また本発明によると、報知部の表示の色を記憶部に記憶された注意色の第１表示色と、１型色覚及び２型色覚に対して明色となる第２表示色とに選択可能にしているので、報知部の表示の色を容易に切り替えることができる。これにより、第１表示色の選択により正常色覚の使用者が警告を容易に認識することができる。また、第２表示色の選択により１型色覚及び２型色覚の使用者が警告を容易に認識することができる。従って、色覚障害者に対する利便性を向上することができる。
【図面の簡単な説明】
【００２２】
【図１】本発明の実施形態の調理器を示す斜視図
【図２】本発明の実施形態の調理器の本体部を示す正面断面図
【図３】本発明の実施形態の調理器の操作パネルを示す正面図
【図４】本発明の実施形態の調理器の構成を示すブロック図
【発明を実施するための形態】
【００２３】
＜第１実施形態＞
以下に本発明の実施形態を図面を参照して説明する。図１は一実施形態の調理器を示す斜視図である。調理器１は調理物を収納する加熱室３を有した本体部２と、本体部２に枢支して加熱室３を開閉する扉４とを備えている。扉４には加熱室３内を視認する窓部４ａが設けられる。本体部２の上部には操作パネル５が設けられる。
【００２４】
図２は調理器１の本体部２の正面断面図を示している。本体部２内の加熱室３の側方には高周波を発生して調理物を加熱するマグネトロン６（加熱部）が配される。加熱室３の下方には高周波を導波する導波管７が設けられ、導波管７内にはアンテナ８が配される。アンテナ８はアンテナモータ８ａにより回転し、高周波を攪拌して加熱室３に高周波を均一に供給する。
【００２５】
図３は操作パネル５の正面図を示している。操作パネル５には操作部１１、表示パネル１２及び表示灯１３ａ、１３ｂが設けられる。操作部１１は調理操作や設定操作等を行う複数の操作キーから成り、スタートキー１１ａ、メニューキー１１ｂ及び色切替キー１１ｃを有している。
【００２６】
スタートキー１１ａは調理の開始を指示する。メニューキー１１ｂは調理メニューの選択や調理条件の設定を行う。色切替キー１１ｃは詳細を後述するように、表示パネル１２及び表示灯１３ａ、１３ｂによる表示の色を切り替えるとともに照明部１５（図４参照）による照明光の色を切り替える。
【００２７】
表示パネル１２は液晶表示パネル等により形成され、調理の進行状況、調理条件の設定画面を表示する。また、表示パネル１２は異常時等に警告メッセージ等を表示して使用者に対する警告報知を行う。
【００２８】
表示灯１３ａ、１３ｂは点灯表示による報知を行い、例えば、ＲＧＢの各ＬＥＤ素子を有して複数の色の光を出射することができる。表示灯１３ａは調理中であることを報知し、表示灯１３ｂはメニューキー１１ｂの操作による設定操作中であることを報知する。また、表示灯１３ａ、１３ｂは異常時等に通常と異なる色で点灯して使用者に対する警告報知を行う。
【００２９】
図４は調理器１の構成を示すブロック図である。調理器１は各部を制御する制御部１０を備えている。制御部１０にはマグネトロン６、アンテナ８、照明部１５、記憶部１６、操作部１１、表示パネル１２及び表示灯１３ａ、１３ｂが接続される。
【００３０】
照明部１５は加熱室３（図１参照）に照明光を出射して調理実行中及び扉４（図１参照）を開いた際に点灯して加熱室３内の照明を行う。また、照明部１５は例えば、ＲＧＢの各ＬＥＤ素子を有し、複数の照明色の照明光を出射することができる。
【００３１】
記憶部１６はＲＯＭやＲＡＭから成り、調理メニューのデータベースや調理シーケンスを格納するとともに制御部１０による演算結果を一時記憶する。また、記憶部１６は照明部１５の照明光の色、表示パネル１２による警告メッセージの文字色及び背景色、表示灯１３ａ、１３ｂによる警告報知時の発光色の各データにより形成される複数の色グループを記憶する。
【００３２】
各色グループは色切替キー１１ｃ（図３参照）の操作によって選択され、記憶部１６から読み出される。これにより、照明部１５、表示パネル１２及び表示灯１３ａ、１３ｂの発色を容易に切り替えることができる。
【００３３】
第１の色グループは照明部１５の照明光の色、表示パネル１２による警告メッセージの文字色または背景色、表示灯１３ａ、１３ｂによる警告報知時の発光色がいずれも赤色である。警告メッセージの文字色及び背景色の一方を赤色にした場合、他方を白色にすると望ましい。第２の色グループは照明部１５の照明光の色、表示パネル１２による警告メッセージの文字色または背景色、表示灯１３ａ、１３ｂによる警告報知時の発光色がいずれも黄色である。警告メッセージの文字色及び背景色の一方を黄色にした場合、他方を黒色にすると望ましい。
【００３４】
第１の色グループの選択により照明部１５の照明光の色を赤色（第１照明色）にすると、正常色覚または３型色覚の使用者が調理物の加熱状態であることを直感的に認識できるとともに、使用者に対して調理物を美味しそうに見せることができる。この時、照明部１５の照明光の色を赤色だけでなく橙色等にしてもよく、暖色であればよい。
【００３５】
赤色等の暖色は１型色覚及び２型色覚に対して暗色の茶色系の色と認識されるため１型色覚及び２型色覚の使用者による加熱室３の内部の視認が困難となる。このため、第２の色グループの選択により照明部１５の照明光の色を黄色（第２照明色）にすると、１型色覚及び２型色覚の使用者が加熱室３内を容易に視認することができる。この時、照明部１５の照明光の色を黄色だけでなく青色等の他の色にしてもよく、１型色覚及び２型色覚に対して明色となる色であればよい。
【００３６】
第１の色グループの選択により表示パネル１２による警告メッセージの文字色または背景色、表示灯１３ａ、１３ｂによる警告報知時の発光色を赤色（第１表示色）にすると、正常色覚及び３型色覚の使用者が警告を容易に認識することができる。この時、表示パネル１２の警告メッセージの色や表示灯１３ａ、１３ｂの警告報知時の発光色を赤色だけでなく黄色にしてもよく、使用者の注意を引く注意色であればよい。尚、黄色は３型色覚に対して白色と認識され、使用者の注意を引く効果が低下するため赤色がより望ましい。
【００３７】
赤色は１型色覚及び２型色覚に対して暗色の茶色系の色と認識されるため１型色覚及び２型色覚の使用者が警告を見逃す虞がある。このため、第２の色グループの選択により表示パネル１２による警告メッセージの色や表示灯１３ａ、１３ｂによる警告報知時の発光色を黄色（第２表示色）にすると、１型色覚及び２型色覚の使用者が警告を確実に認識することができる。この時、警告メッセージの色や表示灯１３ａ、１３ｂによる警告報知時の発光色を黄色だけでなく青色等の他の色にしてもよく、１型色覚及び２型色覚に対して明色となる色であればよい。
【００３８】
上記構成の調理器１において、加熱室３内に調理物を収納して扉４が閉じられ、操作部１１により所望の調理メニューが開始される。この時、使用者が正常色覚または３型色覚の場合は色切替キー１１ｃによって第１の色グループが選択され、第１の色グループが記憶部１６から読み出されて設定される。
【００３９】
調理の開始によって照明部１５及びマグネトロン６が駆動される。マグネトロン６により発生した高周波は導波管７を導波し、アンテナ８によって攪拌されて加熱室３に供給される。これにより、加熱室３内の調理物が加熱調理される。
【００４０】
また、照明部１５によって加熱室２内が赤色の照明光により照明される。使用者は窓部４ａを介して加熱室３内を視認し、調理が行われているか否かを判別するとともに調理の進行状況を認知することができる。
【００４１】
調理の開始時に調理物が収納されていない場合や、調理終了後に調理物が所定時間取り出されない場合等に使用者に対して警告報知される。即ち、表示灯１３ａ、１３ｂが赤色で点灯する。また、表示パネル１２上に「調理物を収納して下さい」や「調理物を取りだして下さい」等の警告メッセージが赤色の文字色または背景色で表示される。これにより、使用者が警告を認識することができる。
【００４２】
使用者が１型色覚または２型色覚の場合は色切替キー１１ｃの操作によって第２の色グループが選択され、第２の色グループが記憶部１６から読み出されて設定される。これにより、照明部１５によって加熱室２内が黄色の照明光により照明される。使用者は窓部４ａを介して加熱室３内を視認し、調理が行われているか否かを判別するとともに調理の進行状況を認知することができる。
【００４３】
また、使用者に対して警告報知する際に、表示灯１３ａ、１３ｂが黄色で点灯するとともに、表示パネル１２上に警告メッセージが黄色の文字色または背景色で表示される。これにより、使用者が警告を確実に認識することができる。
【００４４】
本実施形態によると、照明部１５による照明光の色を記憶部１６に記憶された暖色の照明色（第１照明色）と、１型色覚及び２型色覚に対して明色となる照明色（第２照明色）とに選択可能にしているので、照明光の色を容易に切り替えることができる。これにより、第１照明色の選択により正常色覚または３型色覚の使用者が調理物の加熱状態であることを直感的に認識できるとともに、使用者に対して調理物を美味しそうに見せることができる。また、第２照明色の選択により１型色覚及び２型色覚の使用者が加熱室３内を容易に視認することができる。従って、色覚障害者に対する利便性を向上することができる。
【００４５】
また、第１照明色を赤色または橙色にし、第２照明色を青色または黄色にすると、正常色覚及び色覚障害の使用者に対して利便性のよい調理器１を容易に実現することができる。
【００４６】
また、表示灯１３ａ、１３ｂ（報知部）及び表示パネル１２（報知部）の表示の色を記憶部１６に記憶された注意色（第１表示色）と、１型色覚及び２型色覚に対して明色となる色（第２表示色）とに選択可能にしているので、表示の色を容易に切り替えることができる。これにより、第１表示色の選択により正常色覚の使用者が警告を容易に認識することができる。また、第２表示色の選択により１型色覚及び２型色覚の使用者が警告を容易に認識することができる。従って、色覚障害者に対する利便性を向上することができる。
【００４７】
また、第１表示色を赤色にし、第２表示色を黄色にすると、正常色覚及び色覚障害の使用者に対して利便性のよい調理器１を容易に実現することができる。また、赤色の第１表示色の選択により３型色覚の使用者が警告を容易に認識することができる。
【００４８】
また、第１表示色及び第２表示色が表示パネル１２上に表示される警告メッセージの文字色または背景色から成るので、正常色覚及び色覚障害の使用者が警告メッセージによる警告を容易に認識することができる。
【００４９】
また、第１表示色及び第２表示色がＬＥＤにより形成された表示灯１３ａ、１３ｂの発光色から成るので、正常色覚及び色覚障害の使用者が表示灯１３ａ、１３ｂの点灯による警告を容易に認識することができる。
【００５０】
本実施形態において、第２の色グループの照明部１５の照明光の色（第２照明色）を使用者によって変更して記憶部１６に記憶できるようにしてもよい。また、表示パネル１２による警告メッセージの文字色または背景色（第２表示色）や表示灯１３ａ、１３ｂによる警告報知時の発光色（第２表示色）を使用者によって変更して記憶部１６に記憶できるようにしてもよい。これにより、色覚障害の程度に応じて使用者がより見やすい色に変更し、調理器１の利便性をより向上することができる。
【００５１】
また、調理物を加熱する加熱部がマグネトロン６により構成されるが、加熱部をヒータや蒸気供給手段により構成してもよい。
【産業上の利用可能性】
【００５２】
本発明によると、加熱室内の照明を行う調理器や使用者に対する報知を表示による行う調理器に利用することができる。
【符号の説明】
【００５３】
１    調理器
２    本体部
３    加熱室
４    扉
４ａ  窓部
５    操作パネル
６    マグネトロン
７    導波管
８    アンテナ
１１    操作部
１１ａ  スタートキー
１１ｂ  メニューキー
１１ｃ  色切替キー
１２    表示パネル
１３ａ、１３ｂ  表示灯
【図１】
2014006033.tif 000003
【図２】
2014006033.tif 000004
【図３】
2014006033.tif 000005
【図４】
2014006033.tif 000006